(57)【要約】【課題】プロペラファン吐出側の有効流路面積の減少を抑制して、高風量化や高効率化を図ることのできる空気調和機の室外ユニットを得る。【課題手段】空気調和機の室外ユニットは、室外熱交換器１０５と、この室外熱交換器に通風するためのプロペラファン１０１を備える。また、前記プロペラファンの下流側におけるリング１１１の内周面には、周方向に複数枚の静翼１１０が放射状に設置されている。この周方向に複数枚設置された前記静翼の内周側には貫通空間１０が形成されている。  これにより、プロペラファンの吐出側に発生する逆流領域を抑制して、高風量化と高効率化を図ることができる。【選択図】図１
2016044586.tif 000002
【特許請求の範囲】
【請求項１】
室外熱交換器と、この室外熱交換器に通風するためのプロペラファンを備える空気調和機の室外ユニットにおいて、
前記プロペラファンの下流側に、周方向に複数枚設けられた静翼と、
この周方向に複数枚設けられた静翼の内周側に形成された貫通空間と
を備えることを特徴とする空気調和機の室外ユニット。
【請求項２】
請求項１に記載の空気調和機の室外ユニットにおいて、
前記プロペラファンの径方向外側には筒状のリングが配置され、前記静翼は、前記筒状のリングの内周面における前記プロペラファンの下流側に設置されていることを特徴とする空気調和機の室外ユニット。
【請求項３】
請求項２に記載の空気調和機の室外ユニットにおいて、
前記静翼は、前記筒状のリングの内周側に放射状に配置され、前記プロペラファンからの流れの動圧エネルギーを静圧エネルギーに変換するためのものであることを特徴とする空気調和機の室外ユニット。
【請求項４】
請求項１に記載の空気調和機の室外ユニットにおいて、
前記プロペラファンは、ボス部と、このボス部の外周に設けられた複数枚の羽根を備え、前記貫通空間は、前記プロペラファンのボス部の吐出側に形成されていることを特徴とする空気調和機の室外ユニット。
【請求項５】
請求項１に記載の空気調和機の室外ユニットにおいて、
前記プロペラファンの直径をＤ、前記静翼の内周側を結ぶ直径をｄとしたとき、
ｄ＝０．６Ｄ〜０．７Ｄ
となるように、前記静翼の径方向長さを設定していることを特徴とする空気調和機の室外ユニット。
【請求項６】
請求項１に記載の空気調和機の室外ユニットにおいて、
前記静翼は、その内周側よりもその外周側に行くに従い、反り比が増加するように構成されていることを特徴とする空気調和機の室外ユニット。
【請求項７】
請求項１に記載の空気調和機の室外ユニットにおいて、
前記静翼は、プロペラファンの回転方向とは逆の方向に傾けて配置されていることを特徴とする空気調和機の室外ユニット。
【請求項８】
請求項１に記載の空気調和機の室外ユニットにおいて、
前記複数の静翼の内周側の端部を接続するように静翼内周側リングを設置し、この静翼内周側リングの内周には前記貫通空間が形成されていることを特徴とする空気調和機の室外ユニット。
【請求項９】
請求項１〜８の何れかに記載の空気調和機の室外ユニットにおいて、前記静翼の更に下流側にはファンガードが設置されていることを特徴とする空気調和機の室外ユニット。
【発明の詳細な説明】
【技術分野】
【０００１】
本発明は、プロペラファンを備えた空気調和機の室外ユニットに関する。
【背景技術】
【０００２】
近年、空気調和機において省エネルギー（以下、省エネという）化への要求が高まっている。その有力な手段として、空気調和機の室外ユニットの高風量化、高効率化があげられる。
【０００３】
室外ユニットは、該室外ユニット内に設置されている室外熱交換器に外気を通風させるためのプロペラファンを備えている。このプロペラファンから吐き出された流れは、プロペラファンの回転方向と同一方向の旋回流を含んでいる。この旋回流を軸方向の流れ（軸方向流）に転向させなければエネルギーの損失となる。このため、旋回流を軸方向流に転向させるための静翼を、プロペラファンの吐出側に設置することが一般的に知られており、旋回流による動圧を静圧として回収することにより、高効率化を図るようにしている。
【０００４】
この種従来技術としては、特許第３８０５５３８号公報（特許文献１）や特開２００３−１７２５２８号公報（特許文献２）に記載されたものなどがある。
【０００５】
上記特許文献１のものでは、プロペラファンの下流側に静圧回収ベーンを配置し、その静圧回収ベーンの翼弦長を、中央部から外周に向かうに従って大きくすることにより、高風量化、高効率化を図るようにしている。
【０００６】
また、上記特許文献２のものでは、ガード格子の桟を、ファン（プロペラファン）の軸中心から放射状に配置し、中心から半径方向に向かうにつれて、ねじりの程度を変化させることにより、高風量化などを図るようにしている。
【先行技術文献】
【特許文献】
【０００７】
【特許文献１】特許第３８０５５３８号公報
【特許文献２】特開２００３−１７２５２８号公報
【発明の概要】
【発明が解決しようとする課題】
【０００８】
図５は従来の空気調和機の室外ユニットにおけるプロペラファンとその周囲の部分を取り出して示す斜視図である。また、図６は、図５に示す典型的なプロペラファンの子午面流れ場の模式図を示している。これら図５、図６において、１０１はボス部１１２に放射状に多数の羽根（動翼）を設けて構成されているプロペラファン（送風機）、１１１は前記プロペラファン１０１の径方向外側に設けられている筒状のリング、１１０はこの筒状のリング１１１の内周面における周方向に多数設置された静翼、１２０は前記リング１１１に設けられた静翼１１０の中心側の部分を固定して補強するための補強部材（支持部材）である。
【０００９】
このような構成の室外ユニットのプロペラファンでは、その典型的な動作流量（定格点での流量）における流れ場は、図６に示すように、プロペラファン１０１の回転による遠心力の影響で、前記プロペラファン１０１から吐出された主流Ａは半径方向外側（外径方向）に広がる特性をもつ。そのため、この図６に示すように、前記ボス部の吐出側では逆流Ｂを生じる。  
この逆流Ｂが発生する領域（逆流領域）は、プロペラファン１０１の吐出側の有効流路面積を減少させて、流れを阻害する要因となる。
【００１０】
特に、上記特許文献１や特許文献２のものにおいては、プロペラファンのボス部の吐出側に、静圧回収ベーン支持部材（特許文献１）やガード格子の桟を支持するために、前記補強部材（特許文献２）を有しているため、図６に示すように、前記逆流Ｂの領域が前記補強部材１２０よりも外径側に発生する。このため、前記有効流路面積が更に小さくなり、流路抵抗が増大して、高風量化や高効率化を阻害する課題があることがわかった。
【００１１】
本発明の目的は、プロペラファン吐出側の有効流路面積の減少を抑制して、高風量化や高効率化を図ることのできる空気調和機の室外ユニットを得ることにある。
【課題を解決するための手段】
【００１２】
上記目的を達成するため、本発明は、室外熱交換器と、この室外熱交換器に通風するためのプロペラファンを備える空気調和機の室外ユニットにおいて、前記プロペラファンの下流側に、周方向に複数枚設けられた静翼と、この周方向に複数枚設けられた静翼の内周側に形成された貫通空間とを備えることを特徴とする。
【発明の効果】
【００１３】
本発明によれば、プロペラファン吐出側の有効流路面積の減少を抑制することができるので、高風量化や高効率化を図ることのできる空気調和機の室外ユニットを得ることができる効果がある。
【図面の簡単な説明】
【００１４】
【図１】本発明の空気調和機の室外ユニットにおける実施例１を示す縦断面図。
【図２】図１に示すプロペラファンとその周囲の部分を取り出して示す斜視図。
【図３】図２に示すプロペラファンとその周囲の部分を吐出側から見た平面図。
【図４】プロペラファンの直径に対する静翼内周側直径の比と静圧効率との関係を説明する線図。
【図５】従来の空気調和機の室外ユニットにおけるプロペラファンとその周囲の部分を取り出して示す斜視図で、図２に相当する図。
【図６】図５に示すプロペラファンの子午面流れ場を説明する模式図。
【図７】図５に示す従来のプロペラファンにおける吐出直後の流路に発生する逆流領域を説明する図。
【図８】図２に示す実施例１のプロペラファンにおける吐出直後の流路に発生する逆流領域を説明する図。
【図９】実施例１の室外ユニットにおける定格点での流量における静圧効率を従来の室外ユニットと比較して示すグラフ。
【図１０】本発明の実施例２における静翼を半径一定の円筒面で切断した時の断面図。
【図１１】実施例２における静翼の半径Ｒに対する反り比ｆを説明する線図。
【図１２】実施例２におけるプロペラファンと従来のプロペラファンの子午面流れ場を説明する模式図。
【図１３】本発明の実施例３におけるプロペラファンとその周囲の部分を吐出側から見た平面図で、図３に相当する図。
【図１４】実施例３におけるプロペラファンと従来のプロペラファンの子午面流れ場を説明する模式図。
【図１５】本発明の実施例１〜３における室外ユニットのプロペラファンとその周囲の部分を取り出して示す要部断面図。
【図１６】本発明の実施例４におけるプロペラファンとその周囲の部分を取り出して示す斜視図で、図２に相当する図。
【発明を実施するための形態】
【００１５】
以下、本発明の空気調和機の室外ユニットにおける具体的実施例を、図面を用いて説明する。各図において、同一符号を付した部分は同一或いは相当する部分を示している。
【実施例１】
【００１６】
本発明の実施例１を図１〜図５、図７〜図９を用いて説明する。  
まず、図１を用いて、本発明の実施例１に係る空気調和機の室外ユニットの構成を説明する。図１は本実施例１を示す縦断面図である。
【００１７】
空気調和機は、図１に示す室外ユニット（室外機）１と室内機（図示せず）により構成されており、これらは冷媒配管によって接続され、冷媒配管内を流れる冷媒により熱を運ぶことで冷房や暖房運転を行うように構成されている。
【００１８】
前記室外ユニット１は、主にプロペラファン（送風機）１０１、このプロペラファン１０１を回転させるモータ１０３、このモータ１０３を支持するためのクランプ１０４、冷凍サイクル（図示せず）を流れる冷媒と外気とを熱交換させるための室外熱交換器１０５、冷凍サイクルを流れる冷媒を圧縮して凝縮器となる熱交換器に送るための圧縮機１０６、この圧縮機１０６の吸込側に冷媒配管（図示せず）を介して接続されるアキュムレータ（蓄圧器）１０７、前記圧縮機１０６や前記プロペラファン１０１等を制御するための電装品を収容する電装品箱１０８などから構成されている。
【００１９】
また、前記プロペラファン１０１は、前記モータ１０３と接続されて回転するボス部１１２と、このボス部１１２に放射状に取り付けられた複数の羽根（動翼）を設けて構成されている。前記プロペラファン１０１の径方向外側には、前記室外ユニット１の筐体１０２上部に固設された筒状のリング１１１が配置されており、この筒状のリング１１１の内周面における前記プロペラファン１０１の下流側（吐出側）には、周方向に多数の静翼１１０が設置されている。更に、この静翼１１０の下流側にはファンガード１０９が設けられている。
【００２０】
前記静翼１１０は前記リング１１１に固設されて片持ち支持に構成され、これにより前記静翼１１０の内径側（プロペラファン１０１のボス部１１２下流側）には、静翼や補強部材（支持部材）などが存在しない貫通空間１０が形成されるように構成している。
【００２１】
図２は図１に示すプロペラファンとその周囲の部分を取り出して示す斜視図、図３は図２に示すプロペラファンとその周囲の部分を吐出側から見た平面図である。これらの図に示すように、プロペラファン１０１は、ボス部１１２と、その外周に設けられた複数枚（この例では３枚）の羽根を備えている。また、静翼１１０は、プロペラファン１０１の吐出側のリング１１１の内周面に、等間隔で放射状に多数配置されており、その内周側は前記貫通空間１０（図３参照）となっている。従って、プロペラファン１０１の中心部側の吐出側（下流側）は、空気以外何も存在しない空間、即ち貫通空間１０となっている。前記静翼１１０は、プロペラファン１０１から送風される流れの動圧エネルギーを静圧エネルギーに変換するためのものである。
【００２２】
前記静翼１１０の径方向の長さは、前記プロペラファン１０１のボス部１１２の吐出側に前記貫通空間１０を確保できるような寸法とする。このため本実施例では、前記静翼１１０の径方向長さを、図３に示すような長さに決めている。  
即ち、前記プロペラファン１０１の直径をＤとした時、前記静翼１１０の内周側を結ぶ直径ｄを、「ｄ＝０．６Ｄ〜０．７Ｄ」としている。その理由を図４により説明する。
【００２３】
図４は、プロペラファンの直径Ｄに対する静翼内周側直径ｄの比と、静圧効率との関係を説明する線図で、計算により得られた知見である。なお、静圧効率とは、軸動力（実入力）に対して気体に有効に与えられたエネルギー（風量と静圧の積）の割合である。この図４に示すように、プロペラファン１０１の直径Ｄに対する静翼１１０の内周側の直径ｄの比が６０〜７０％の場合に、静圧効率は最大になることがわかった。従って、本実施例では、前記静翼１１０の内周側を結ぶ直径ｄが、プロペラファン１０１の直径Ｄに対して０．６Ｄ〜０．７Ｄとなるように、前記静翼１１０の径方向長さを設定している。
【００２４】
次に、図７〜図９を用いて本実施例１の効果を説明する。  
図７は図５に示す従来のプロペラファンにおける吐出直後の流路に発生する逆流領域を説明する図、図８は図２に示す本実施例１のプロペラファンにおける吐出直後の流路に発生する逆流領域を説明する図である。
【００２５】
図７に示す従来のプロペラファンでは、プロペラファン１０１のボス部１１２の吐出側に、静翼１１０の内周側を支持するための補強部材１２０が、図５に示すように備えられている。このため、図７に示すように、従来の室外ユニットにおける静翼直後の逆流領域Ｘは、その直径が、プロペラファン１０１の直径Ｄに対して約６５％（０．６５Ｄ）となっており、広い範囲で逆流が発生していることがわかった。
【００２６】
これに対して、本実施例１のプロペラファンでは、静翼１１０の内周側の直径ｄをプロペラファン１０１の直径Ｄに対して７０％としたものを使用して、逆流領域を計算した。その結果、本実施例のものでは、静翼１１０の内周側に前記貫通空間が形成されていることにより、図８に示すように、その逆流領域Ｙは、プロペラファン１０１の直径Ｄに対して約３２％まで低減することができた。
【００２７】
なお、上記逆流領域とは、プロペラファン１０１の吐出方向への軸方向流れの速度成分がゼロ以下となる領域のことであり、逆流領域が大きいほど有効な流路面積が減少することになり、流路抵抗が増大して、静圧効率が低下することになる。
【００２８】
図９は本実施例１の室外ユニットにおける定格点での流量における静圧効率を従来の室外ユニットと比較して示すグラフである。この図９に示すように、本発明の実施例１における室外ユニットとすることにより、従来の室外ユニットに比べ、静圧効率を約４％程度増加することができた。静圧効率の増加により、静圧上昇も増加するため、同一回転数での風量も増加することができる。
【００２９】
以上述べたように、本実施例によれば、プロペラファン吐出側の有効流路面積の減少を抑制することができるので、静圧効率を向上することができ、高風量化や高効率化を図ることのできる空気調和機の室外ユニットを得ることができる。
【実施例２】
【００３０】
本発明の空気調和機の室外ユニットにおける実施例２を、図１０から図１２を用いて説明する。なお、本実施例２の説明では、上述した実施例１と異なる部分を中心に説明し、実施例１と同様の部分については説明を省略する。
【００３１】
図１０は本実施例２における静翼１１０を半径一定の円筒面で切断した時の断面図である。  
静翼１１０は、プロペラファンから吐出された流れ（旋回流）の動圧エネルギーを静圧エネルギーに変更するため、流れを周方向から軸流方向に転向する必要がある。このためには、図１０に示すように、プロペラファンを構成している羽根の断面形状を翼型形状とすることが望ましい。
【００３２】
図１０において、１１４は羽根の前縁、１１５は羽根の後縁である。また、ＰＳは羽根の圧力面、ＳＳは羽根の負圧面、１１６は前記圧力面ＰＳと前記負圧面ＳＳの中間の線で、キャンバー線という。１１７は、前記羽根の前縁１１４と後縁１１５を結んだ直線で、翼弦線といい、その翼弦線１１７の長さＬを翼弦長という。Ｃは、前記翼弦線１１７から前記キャンバー線１１６側に垂直に伸ばした線分の距離のうちの最大値であり、反り量という。この反り量Ｃと前記翼弦長Ｌとの比を、本実施例では反り比ｆとして定義する。
【００３３】
図１１は、本実施例２における静翼の半径Ｒに対する反り比ｆを説明する線図、図１２は、本実施例２におけるプロペラファンと従来のプロペラファンの子午面流れ場を説明する模式図である。  
図１１において、半径Ｒが「０．７Ｄ／２」の部分は静翼１１０（図１〜図３参照）の最も内周側の部分の半径位置であり、「リング内周半径」の部分は静翼１１０の最も外周側の部分の半径位置である。
【００３４】
この図１１に示すように、本実施例２における静翼１１０は、その半径Ｒが増加、即ちその内周側よりも外周側に行くに従い、反り比ｆが増加するように構成されている。これにより、図１２に示すように、静翼１１０の半径Ｒが大きい位置（外周側）と、半径Ｒが小さい位置（内周側）とで、静圧エネルギーの回復量を調整することができる。即ち、半径Ｒが大きい位置での静圧上昇（静圧大）と、半径Ｒが小さい位置での静圧上昇（静圧小）との差を作り出すことができ、半径Ｒが大きい位置から小さい位置に圧力勾配を作り出すことができる。本実施例２では、静翼１１０の半径Ｒが大きい部分ほど反り比ｆを大としているので、静圧上昇は静翼１１０の半径Ｒが大きい部分ほど大きくなる。従って、作り出した圧力勾配により、プロペラファン１０１から吐出された主流をより内周側に向けることができる。
【００３５】
本実施例２においては、静翼１１０の内周側には、従来のような補強部材１２０（図６参照）が設けられておらず、プロペラファン１０１のボス部１１２の吐出側には貫通空間１０が形成されているので、上述した図８に示すように、逆流領域を小さくすることができる。これに加え、本実施例２では、図１１で説明したように、プロペラファン１０１から吐出された主流をより内周側に向けることができるような圧力勾配を作り出すことができるので、図１２にＡ´で示すように、プロペラファン１０１から吐出された主流をより内周側に向けることができる。
【００３６】
なお、図１２において、Ａは従来の室外ユニットにおける主流の向きを示し、この従来の主流Ａは、図７で説明したように、逆流領域Ｘが大きくなるため、有効な流路は外周側に偏り、主流Ａも半径方向外向きの流れとなる。これに対し、本実施例２では、貫通空間１０が形成され、且つ静翼１１０には、半径Ｒが大きい位置から小さい位置に圧力勾配を作り出すことができるため、上述したように主流Ａ´をより軸方向に近づけることができ、半径方向外向きの流れとなるのを抑制することができる。
【００３７】
これにより、従来の室外ユニットにおいて発生していた逆流Ｂは、本実施例２では逆流Ｂ´で示すように、半径方向に、より縮小することができる。この作用により、逆流領域が抑制されるため、プロペラファンの同一回転数における静圧効率を更に向上することができる。また、静圧効率が向上する分、静圧上昇も増加するため、風量も更に増加することができる。
【実施例３】
【００３８】
本発明の空気調和機の室外ユニットにおける実施例３を、図１３及び図１４を用いて説明する。なお、この本実施例３の説明でも、上述した実施例１、２と異なる部分を中心に説明し、実施例１、２と同様の部分については説明を省略する。
【００３９】
図１３は、本実施例３におけるプロペラファンとその周囲の部分を吐出側から見た平面図で、図３に相当する図、図１４は、本実施例３におけるプロペラファンと従来のプロペラファンの子午面流れ場を説明する模式図である。
【００４０】
図１３に示すように、本実施例３は、筒状のリング１１１の内周面に多数設けられている静翼１１０を、プロペラファン１０１の回転方向とは逆の方向に傾けて配置したものである。このように構成することにより、プロペラファン１０１から吐き出された流れには、静翼１１０により、図１３に矢印Ｆで示す方向、即ち内向き方向の翼力が作用する。この内向き方向の翼力によって、プロペラファン１０１から吐出された流れが半径方向外向きに流れようとするのを抑制することができ、上述した実施例２と同様の効果を得ることができる。
【００４１】
本実施例３の効果を、図１４を用いて、更に詳しく説明する。  
本実施例３においても上述した図１２で説明したものと同様に、静翼１１０の内周側には、従来のような補強部材１２０が設けられておらず、プロペラファン１０１のボス部１１２の吐出側には貫通空間１０が形成されているので、逆流領域を小さくすることができる。また、本実施例３では、図１３で説明したように、静翼１１０をプロペラファン１０１の回転方向とは逆の方向に傾けて配置しているので、プロペラファン１０１から吐出された主流に対し、矢印Ｆで示すような翼力が作用し、主流の向きをより内周側に向けることができる。
【００４２】
従来の室外ユニットにおいては、図7で説明したように、逆流領域Ｘが大きくなり、有効な流路が外周側に偏るから、図１４に示すように、主流Ａも半径方向外向きの流れとなる。これに対し、本実施例３では、貫通空間１０が形成され、且つ静翼１１０をプロペラファン１０１の回転方向とは逆の方向に傾けて配置しているので、上述したように、主流Ａ´´をより軸方向に近づけることができ、半径方向外向きの流れとなるのを抑制することができる。
【００４３】
これにより、従来の室外ユニットにおいて発生していた逆流Ｂは、本実施例３では逆流Ｂ´´で示すように、半径方向に、より縮小することができる。この作用により、逆流領域が抑制されるため、プロペラファンの同一回転数における静圧効率を更に向上することができる。また、静圧効率が向上する分、静圧上昇も増加するため、風量も更に増加することができる。
【実施例４】
【００４４】
本発明の空気調和機の室外ユニットにおける実施例４を、図１５及び図１６を用いて説明する。なお、この実施例４においても、上述した実施例１〜３と異なる部分を中心に説明し、実施例１〜３と同様の部分については説明を省略する。
【００４５】
まず、図１５を用いて、上述した本発明の実施例１〜３について説明する。図１５は本発明の実施例１〜３の室外ユニットにおけるプロペラファン及びその周辺の部分を取り出した部品の断面図である。
【００４６】
上述した本発明の実施例１〜３のものは、図１５で示すように、静翼１１０がリング１１１の内周面に片持ち支持されているため、静翼１１０の端部（先端）１１８から渦Ｖが発生する可能性がある。この渦Ｖは、下流側に配置されたファンガード１０９と干渉して騒音源になる可能性がある。
【００４７】
そこで、本実施例４では図１６に示すように構成している。図１６は本発明の実施例４におけるプロペラファンとその周囲の部分を取り出して示す斜視図で、図２に相当する図である。
【００４８】
即ち、本実施例４では、複数の静翼１１０の内周側の端部１１８を接続するように静翼内周側リング１１９を設置する。この静翼内周側リング１１９を設けるにより、静翼１１０の端部１１８から上記渦Ｖが発生するのを抑制することができ、渦の発生による騒音増大を抑制することができる。
【００４９】
また、本実施例４では、前記静翼内周側リング１１９を設けても、この静翼内周側リング１１９の内周には上述した実施例１〜３と同様に、貫通空間１０が形成されるため、実施例１〜３と同様の効果も得ることができる。更に、本実施例４では、各静翼１１０の内周側の端部１１８が前記静翼内周側リング１１９により固定されるので、静翼１１０の強度も向上することができる。
【符号の説明】
【００５０】
１：室外ユニット（室外機）、１０：貫通空間、
１０１：プロペラファン（送風機）、１０２：筐体、
１０３：モータ、１０４：クランプ、
１０５：室外熱交換器、１０６：圧縮機、１０７：アキュムレータ、
１０８：電装品箱、１０９：ファンガード、
１１０：静翼、１１１：リング、１１２：ボス部、
１１４：前縁、１１５：後縁、１１６：キャンバー線、
１１７：翼弦線、１１８：静翼の端部、
１１９：静翼内周側リング、１２０：補強部材（支持部材）。
【図１】
2016044586.tif 000003
【図２】
2016044586.tif 000004
【図３】
2016044586.tif 000005
【図４】
2016044586.tif 000006
【図５】
2016044586.tif 000007
【図６】
2016044586.tif 000008
【図７】
2016044586.tif 000009
【図８】
2016044586.tif 000010
【図９】
2016044586.tif 000011
【図１０】
2016044586.tif 000012
【図１１】
2016044586.tif 000013
【図１２】
2016044586.tif 000014
【図１３】
2016044586.tif 000015
【図１４】
2016044586.tif 000016
【図１５】
2016044586.tif 000017
【図１６】
2016044586.tif 000018